(57)【特許請求の範囲】
【請求項１】
ケーシングドライバと、
このケーシングドライバにより回転駆動されるケーシングと、
このケーシングの内壁に開閉可能に取付けられ、水平断面形状が弧状をなし、下辺に掘削爪を有する複数枚の掘削体と、
前記ケーシングの内壁における前記掘削体の上部にそれぞれ縦向きに取付けられ、対応する掘削体を開閉する液圧シリンダとを備えると共に、
前記液圧シリンダの液圧源を前記ケーシングの頂部または地上に設置し、前記液圧源と前記液圧シリンダとの間を接続する液圧配管を前記ケーシングの内壁に沿って設けることにより、前記掘削体の上部をオープン構造にしたことを特徴とする地中杭の切断装置。
【請求項２】
請求項１に記載の地中杭の切断装置において、
前記ケーシングは下端に複数の掘削爪を有し、その複数の掘削爪を、ケーシングを回転させて掘削する際に掘削土砂がケーシングの外側に押し出されるように順次取付け位置を異ならせて配設したことを特徴とする地中杭の切断装置。
【請求項３】
請求項１または２に記載の地中杭の切断装置において、
前記掘削体は、その開放状態におけるケーシング内方への突出幅を、前記液圧シリンダのケーシングより内方への突出幅より小さく設定したことを特徴とする地中杭の切断装置。
【請求項４】
請求項１から３までのいずれかに記載の地中杭の切断装置において、
前記ケーシングはその下端に複数の掘削爪を有し、その掘削爪のケーシング内方への突出幅を、前記液圧シリンダのケーシング内方への突出幅より大きく設定したことを特徴とする地中杭の切断装置。
【請求項５】
請求項１から４までのいずれかに記載の地中杭の切断装置において、
前記ケーシングはその下端に内方に突出したリングを有し、このリングと前記掘削体との間に掘削土砂を溜めるポケット部を形成し、前記リングに掘削土砂を前記ポケット部に導入する導入口を設けたことを特徴とする地中杭の切断装置。
【請求項６】
請求項５に記載の地中杭の切断装置において、
前記導入口を塞ぐ蓋を着脱可能に設けたことを特徴とする地中杭の切断装置。
【請求項７】
請求項１から６までのいずれかに記載の地中杭の切断装置において、
前記液圧シリンダを作動させる液圧源を、前記ケーシングの頂部に着脱可能に設置し、前記液圧源と前記液圧シリンダとを接続する液圧配管を、前記ケーシングの内周に配設したことを特徴とする地中杭の切断装置。
【請求項８】
請求項１から６までのいずれか１項に記載の地中杭の切断装置において、
前記ケーシングドライバの静止部または地上に昇降フレームを設置し、この昇降フレーム上に旋回可能に旋回体を設置し、この旋回体に前記液圧シリンダを作動させる液圧源を搭載する作業台を設置すると共に、前記旋回体に前記ケーシングを把持するチャック装置を設けたことを特徴とする地中杭の切断装置。
【発明の詳細な説明】
【技術分野】
【０００１】
本発明は、地中に埋設されている杭を上部から切断し引き上げて除去する場合に使用する切断装置に関する。
【背景技術】
【０００２】
コンクリート建造物の基礎に埋設されたコンクリート製等の地中杭は、この建造物を破壊、撤去した後に除去する必要がある。コンクリート製の地中杭は、杭の長手方向に埋設された複数本の鉄筋が円環状に配列して埋設される。従ってコンクリート製地中杭は外周よりこの鉄筋が埋設されている深さまで掘削して鉄筋を切断することにより、地中杭を切断することができる。
【０００３】
このようなコンクリート製地中杭を切断する装置として、特許文献１の図２、図３には、ケーシングドライバにより回転駆動されるケーシングの下部内周に、突出幅が異なる複数のカッタを異なる高さとなる箇所に周方向に分散させて配設し、ケーシングを回転させることにより、杭を頂部から掘削、破砕してコンクリート屑にするものが開示されている。
【０００４】
また、この特許文献１の図５〜図９には、ケーシングの下部にケーシングの内方に向けて取付けた液圧シリンダにより突没可能に複数のカッタを周方向に配設し、このカッタを液圧シリンダにより内方に突出させながらケーシングを回転させることにより、杭を切断し、切断した分ごとに引き上げるものが開示されている。
【０００５】
また、特許文献２には、クレーンによりワイヤロープを介してケーシング内に切断装置を垂下し、この切断装置はその上部にチャック装置を有し、下部にバケットとそのバケットに設けた油圧シリンダにより開閉される半球型の開閉シェルを有し、杭の切断時には、チャック装置によりこの切断装置をケーシング内壁に固定し、開閉シェルにより杭を掴んでケーシングと共に開閉シェルを回転させることにより、杭を切断し、その後、チャック装置による切断装置のケーシングへの固定を解除し、クレーンにより切断装置と共に切断した杭を引き上げるものが開示されている。
【０００６】
【特許文献１】特開平８−１２０６７０号公報
【特許文献２】特開２００１−３２３７６７号公報
【発明の開示】
【発明が解決しようとする課題】
【０００７】
特許文献１の図２、図３に示されるように、コンクリート杭を頂部から全部破砕するものは、杭の切断体積が多く、効率が悪い。
【０００８】
また、特許文献１の図５〜図９に記載のように、ケーシング内に液圧シリンダにより内方に突出可能に複数個のカッタを取付けたものにおいては、ケーシングで所定の深さまで掘削した後、液圧シリンダによりカッタを内方に突出させてケーシングと共にカッタを回転させて杭の鉄筋埋設箇所の深さまで食い込ませて切断するため、液圧シリンダとしては鉄筋埋設箇所までカッタを到達させるストロークを有するものが必要である。このため、ストロークを確保するため液圧シリンダは所定の長さが必要であり、ケーシングの径を大きくしなければならず、あまり大径の杭の切断は困難になるという問題点がある。
【０００９】
一方、特許文献２に記載のものは、開閉シェルの上部にバケット上枠部が存在するため、その上枠部から開閉シェルの掘削刃までの高低差によって杭の切断可能な長さが決定されてしまい、能率良く杭の除去ができないという問題点がある。また、液圧シリンダを収容するバケットをケーシングの内面と杭の外面との間に挿入する必要があるので、切断可能な杭の径の制限を受けるという問題点がある。
【００１０】
本発明は、上記問題点に鑑み、杭の切断長の制限がなく、杭の除去が能率良く行なえると共に、比較的大きな径の杭の切断が可能となる地中杭の切断装置を提供することを目的とする。
【課題を解決するための手段】
【００１１】
請求項１の地中杭の切断装置は、ケーシングドライバと、
このケーシングドライバにより回転駆動されるケーシングと、
このケーシングの内壁に開閉可能に取付けられ、水平断面形状が弧状をなし、下辺に掘削爪を有する複数枚の掘削体と、
前記ケーシングの内壁における前記掘削体の上部にそれぞれ縦向きに取付けられ、対応する掘削体を開閉する液圧シリンダとを備える共に、
前記液圧シリンダの液圧源を前記ケーシングの頂部または地上に設置し、前記液圧源と前記液圧シリンダとの間を接続する液圧配管を前記ケーシングの内壁に沿って設けることにより、前記掘削体の上部をオープン構造にしたことを特徴とする。
【００１２】
請求項２の地中杭の切断装置は、請求項１に記載の地中杭の切断装置において、
前記ケーシングは下端に複数の掘削爪を有し、その複数の掘削爪を、ケーシングを回転させて掘削する際に掘削土砂がケーシングの外側に押し出されるように順次取付け位置を異ならせて配設したことを特徴とする。
【００１３】
請求項３の地中杭の切断装置は、請求項１または２に記載の地中杭の切断装置において、
前記掘削体は、その開放状態におけるケーシング内方への突出幅を、前記液圧シリンダのケーシングより内方への突出幅より小さく設定したことを特徴とする。
【００１４】
請求項４の地中杭の切断装置は、請求項１から３までのいずれかに記載の地中杭の切断装置において、
前記ケーシングはその下端に複数の掘削爪を有し、その掘削爪のケーシング内方への突出幅を、前記液圧シリンダのケーシング内方への突出幅より大きく設定したことを特徴とする。
【００１５】
請求項５の地中杭の切断装置は、請求項１から４までのいずれかに記載の地中杭の切断装置において、
前記ケーシングはその下端に内方に突出したリングを有し、このリングと前記掘削体との間に掘削土砂を溜めるポケット部を形成し、前記リングに掘削土砂を前記ポケット部に導入する導入口を設けたことを特徴とする。
【００１６】
請求項６の地中杭の切断装置は、請求項５に記載の地中杭の切断装置において、
前記導入口を塞ぐ蓋を着脱可能に設けたことを特徴とする。
【００１７】
請求項７の地中杭の切断装置請求項１から６までのいずれかに記載の地中杭の切断装置において、
前記液圧シリンダを作動させる液圧源を、前記ケーシングの頂部に着脱可能に設置し、前記液圧源と前記液圧シリンダとを接続する液圧配管を、前記ケーシングの内周に配設したことを特徴とする。
【００１８】
請求項８の地中杭の切断装置は、請求項１から６までのいずれか１項に記載の地中杭の切断装置において、
前記ケーシングドライバの静止部または地上に昇降フレームを設置し、この昇降フレーム上に旋回可能に旋回体を設置し、前記旋回体に前記液圧シリンダを作動させる液圧源を搭載する作業台を設置すると共に、前記旋回体に前記ケーシングを把持するチャック装置を設けたことを特徴とする。
【発明の効果】
【００１９】
請求項１の発明によれば、ケーシングの内壁に液圧シリンダを縦向きに取付け、その液圧シリンダによって水平断面形状が弧状の掘削体を取付け、その掘削体を閉じ方向に作動させてケーシングと共に掘削体を回転駆動して杭を掘削する構成としたので、掘削体の上部空間をオープン構造とすることができ、杭を切断する長さの制限を受けない。従って切断した杭を吊り上げるクレーン等による吊り上げ可能な重さに相当する長さまで切断することができ、能率良く杭の除去作業を行なうことができる。
【００２０】
また、前述のように、バケットに開閉シェルを取付けたもの、あるいは液圧シリンダをケーシングの内方に向けてその内端にカッタを取付けたものに比較し、掘削体を開閉する駆動部の要する幅が狭くてすみ、比較的大きな径の杭の切断が可能となる。
【００２１】
請求項２の発明によれば、ケーシングは下端に複数の掘削爪を有し、その掘削爪を掘削時に掘削土砂がケーシングの外側に押し出されるように順次取付け位置を異ならせて配置したので、掘削土砂をケーシングの外壁側に圧密しながら掘削することができ、掘削体を杭との間に充填された土砂が杭の切断の障害となることがなく、杭の切断を能率良く行なえる。
【００２２】
請求項３の発明によれば、前記掘削体は、その開放状態におけるケーシング内方への突出幅を、前記液圧シリンダのケーシングより内方への突出幅より小さく設定したので、掘削体はその開閉駆動に構造上必要な液圧シリンダよりもケーシングの内方に突出しないから、一対の掘削体の開放状態でそれらの間に取り込める杭の径が掘削体の構造等によって制限されることなく、液圧シリンダを含んだケーシングの径を有効に利用して径の大きい杭の切断が可能となる。また、それに伴い、杭とケーシングとの間に空間が確保できるので、杭とケーシングとの間への掘削体の挿入が容易となる。
【００２３】
請求項４の発明によれば、ケーシングの下端に複数の掘削爪を有し、その掘削爪のケーシング内方への突出幅を、前記液圧シリンダのケーシング内方への突出幅より大きく設定したので、液圧シリンダが掘削地盤に接触する度合いが少なくなり、その損傷を防ぐことができる。
【００２４】
請求項５の発明によれば、ケーシングはその下端に内方に突出したリングを有し、このリングと前記掘削刃との間に掘削土砂を溜めるポケット部を形成し、前記リングに掘削土砂を前記ポケット部に導入する導入口を設けたので、コンクリート建造物の底盤を掘削する際に、ケーシング外壁側へ圧密することができないコンクリート掘削屑を導入口からポケット部に導入して溜めておくことができ、掘削屑が掘削の邪魔にならず、コンクリート底盤を円滑に掘削することができる。
【００２５】
請求項６の発明によれば、蓋を前記導入部に着脱することにより、ケーシングをコンクリートの掘削と一般の地盤の掘削に兼用することができる。
【００２６】
請求項７の発明によれば、液圧シリンダを作動させる液圧源を、前記ケーシングの頂部に着脱可能に設置し、前記液圧源と前記液圧シリンダとを接続する液圧配管を、前記ケーシングの内周に配設したので、液圧源を地上に設置した場合のスイベルジョイントが不要となり、ケーシングの継ぎ足しの際における着脱が容易となる。
【００２７】
請求項８の発明によれば、ケーシングドライバの静止部または地上に設置した昇降フレーム上に旋回可能に旋回体を設置し、この旋回体に前記液圧シリンダを作動させる液圧源を搭載する作業台を設置すると共に、前記旋回体に前記ケーシングを把持するチャック装置を設けたので、ケーシングの継ぎ足しの際に、昇降フレームを昇降させることにより、液圧源をケーシング上から撤去する必要がなく、ケーシングの継ぎ足し作業が容易となり、杭の切断作業の能率を上げることができる。
【発明を実施するための最良の形態】
【００２８】
図１は本発明による地中杭の切断装置の一実施の形態を示す側面図である。1は切断装置であり、２はこの掘削機の補助作業を行なう相判クレーンである。切断装置１はケーシングドライバ３とこのケーシングドライバ３により回転駆動されて杭４の周囲の掘削と杭４の切断を行なう装置を取付けたケーシング５とを備える。６は後述の液圧シリンダ２３（図４参照）の液圧源７を搭載する作業台である。
【００２９】
図２、図３はそれぞれケーシングドライバ３の一例を示す側面図および平面図である。このケーシングドライバ３は、液圧シリンダ９により水平に設置されるベースフレーム１０上の四隅にガイドポスト１１を立設し、これらのガイドポスト１１に沿って液圧シリンダ１２により昇降される昇降フレーム１３を取付ける。そしてこの昇降フレーム１３に液圧モータ１４により歯車機構（図示せず）を介して回転駆動される回転体１５を設置する。この回転体１５はケーシング５を貫挿可能な円筒形をなすものであり、この回転体１５には液圧シリンダ１６により開閉される可動バンド１７を有するチャック装置１９を備える。
【００３０】
図４は本発明の切断装置の要部を示す縦断面図である。２０は対をなして設けられた掘削体であり、これらの掘削体２０は、図５に示すようにケーシング５の下部に固定される軸２１を中心に開閉可能に取付けられる。これらの掘削体２０は好ましくは一対設けられるが、３個設けてもよい。これらの掘削体２０は図５に示すように水平断面形状が弧状をなし、下辺に掘削爪２２を有する。
【００３１】
２３はそれぞれ前記掘削体２０に対応して設けられた液圧シリンダである。これらの液圧シリンダ２３は、ケーシング５の内壁における前記掘削体２０の上部にピン２４により連結して縦向きに取付けられる。これらの液圧シリンダ２３のピストンロッドと前記掘削体２０とは、リンク２５を介して連結される。このリンク２５は、土砂侵入時の液圧シリンダ２３のピストンロッドの保護と、ケーシング５の回転力が掘削体２０を経て液圧シリンダ２３に直接かかることを防止し、力の分散を図るためである。
【００３２】
図６、図７に示すように、ケーシング５の内壁には、液圧シリンダ２３を覆う保護カバー２７が、液圧シリンダ２３の最大伸長状態でもそのピストンロッドを覆うような上下方向の長さにわたって設けられる。
【００３３】
図６に示すように、掘削体２０は、その開放状態におけるケーシング内方への突出幅Ｗ１を、前記液圧シリンダの保護カバー２７を含めたケーシングより内方への突出幅Ｗ２より小さく（Ｗ２＞Ｗ１）に設定する。
【００３４】
図４および図８に示すように、ケーシング５の下端には複数の掘削爪３０が取付けられたケーシング先端部５Ａがボルト（図示せず）により着脱可能に取付けられる。ケーシング先端部５Ａは、掘削対象物が一般の地盤である場合と、図１２〜図１４に示すようなコンクリート底盤である場合に使用するものとで交換可能とする。また、杭４の径の変更可能となるように、掘削内径の異なる掘削爪３０を有するものにも交換可能とする。
【００３５】
これらの掘削爪３０は互いに隣接するもののケーシング５の半径方向の位置を異ならせて取付けられ、矢印２９に示すように、ケーシング５を正転方向に回転させて掘削を行なうと、掘削土砂がケーシング５の外側に押し出されてケーシング５の外壁側に圧密されて集積するように構成される。なお、本実施の形態においては、掘削爪３０を３つのグループ３１，３２，３３に分け、各グループでは掘削時の回転方向の始端がケーシング５の最も内側にあり、終端が最も外側にあるように配設される。
【００３６】
図４に示すように、ケーシング５の最も内側の掘削爪３０のケーシング内方への突出幅Ｗ３は、前記液圧シリンダ２３の保護カバー２７を含めたケーシング内方への突出幅Ｗ２より大きく（Ｗ３＞Ｗ２）設定される。
【００３７】
また、図４、図８に示すように、ケーシング５はその下端に内方に突出したリング３４を有し、このリング３４と前記掘削体２０との間にポケット部３５を形成している。
【００３８】
図１、図９、図１０に示すように、前記液圧シリンダ２３の液圧源７を設置する作業台６は、ケーシング５の上端に着脱可能に嵌合して取付けられる構造を有する。この液圧源７は、エンジンと液圧ポンプからなるものである。また、この液圧源７には無線受信装置とその受信信号により作動するコントロール弁とエンジンの始動、停止等の制御を行なう無線制御装置３７を有する。なお、作業台６は作業員が上ることが可能であり、無線制御装置３７は作業台６上に乗る作業員による操作も可能となるように構成されている。
【００３９】
図４、図７に示すように、液圧源７から液圧シリンダ２３に作動液を供給する配管は、液圧シリンダ２３の頂部からケーシング５の内壁に沿って弧状に配設される弧状配管４０と、ケーシング５の内壁に沿って縦に配設され、継ぎ足し用ケーシング５の長さと同じ長さを有し、継手４１により継ぎ足される縦配管４２と、継手４３により液圧源７に接続される配管４４とからなる。
【００４０】
この装置を用いて杭４の切断を行なう工程は以下の通りである。
既存杭頭出し
（１−１）油圧ショベル等で該当箇所を掘削し、撤去する既存杭４の杭頭の位置を確認して埋め戻す。
（１−２）このとき、既存杭４の杭芯を復元できるように逃げ芯を設置しておく。
全旋回式ケーシングドライバー据付
逃げ芯から復元した既存杭４の杭芯に合わせ、全旋回式ケーシングドライバー３を設置する。
本装置（ケーシング）建込み
本装置（ケーシング）をケーシングドライバー３に建込む。
本装置（ケーシング）回転圧入
ケーシングドライバー３により本装置（ケーシング）を既存杭４の目標切断深度まで回転圧入する。
既存杭切断
ケーシング５を回転させながら本装置の掘削体２０を閉じ、既存杭４を切断する。
くさび等による既存杭の切断
上記の切断工程で杭の切断が不十分な場合は、くさび等をケーシング５に入れてケーシング５を回転し、既存杭４を切断箇所で折る。
切断した杭の撤去
切断した杭をハンマグラブ等により把持し撤去する。
ケーシング継ぎ足し
ケーシング５を継ぎ足す。
繰り返し
上記（４）ないし（８）の工程を既存杭の全部が撤去されるまで繰り返す。
【００４１】
上記工程において、具体的な掘削等は以下のようにして行なう。図１に示したクレーン２によりケーシング５を吊り下げ、ケーシングドライバ３にケーシング５を貫挿し、チャック装置１９によりケーシング５をチャックし、液圧モータ１４を回転させると同時に、液圧シリンダ９を収縮させて昇降フレーム１３を押し下げながら杭４の周囲の掘削を行なう。この掘削の際には、液圧源７はケーシング５と共に回転する。そして掘削深さが所定の深さに達したら、液圧シリンダ２３を伸長させて掘削体２０を閉じつつ、ケーシング５を回転させ、図１１に示すように、杭４の掘削を少なくとも鉄筋の埋設箇所を超える深さにわたって行なう。この作業により杭４の外周から内部の鉄筋を切断した後は、液圧シリンダ２３を収縮させて掘削体２０を図４に示すように開いた状態とする。ここで、杭４の切断が不十分である場合は、ケーシング５と杭４との間にくさびを入れてケーシング５を回転させることにより、杭４を切断箇所で折る。
【００４２】
その後、図１に示したクレーン２を用いて図１１に示すようにハンマグラブ４５をワイヤロープ４６，４７により支持し、切断された杭４Ａをハンマグラブ４５により把持して地上に引き上げる。そして、ケーシング５を継ぎ足しながら前記と同様の作業を行なう。なお、ケーシング５の継ぎ足しの際には、液圧源７や無線制御装置３７を搭載した作業台６はクレーン２によりケーシング５の頂部から外し、代わりにケーシング５をクレーン２により継ぎ足し用ケーシング５を吊り込んでケーシング５と縦配管４２の継ぎ足しを行なう。その後、作業台６をケーシング５上に再度搭載する。
【００４３】
このように、この地中杭の切断装置は、ケーシング５の内壁に液圧シリンダ２３を縦向きに取付け、その液圧シリンダ２３によって開閉される水平断面形状が弧状の掘削体２０を取付け、その掘削体２０を閉じ方向に作動させてケーシング５と共に掘削体２０を回転駆動して杭４を掘削する構成としたので、掘削体２０の上部空間をオープン構造とすることができ、杭４を切断する長さの制限を受けない。従って切断した杭４Ａを吊り上げるクレーン２等の荷重限界重さに相当する長さまで切断することができ、能率良く杭の除去作業を行なうことができる。
【００４４】
また、従来のようにバケットに開閉シェルを取付けたもの、あるいは液圧シリンダをケーシングの内方に向けてその内端にカッタを取付けたものに比較し、掘削体２０を開閉する駆動部の占有幅が狭くてすみ、比較的大きな径の杭４の切断が可能となる。
【００４５】
また、本実施の形態においては、掘削体２０は、その開放状態におけるケーシング内方への突出幅Ｗ１を、液圧シリンダ２３のケーシング５より内方への突出幅Ｗ２以下に設定したので、掘削体２０はその開閉駆動に構造上必要な液圧シリンダ２３よりもケーシング５の内方に突出しないから、一対の掘削体２０の開放状態でそれらの間に取り込める杭４の径が掘削体２０の構造等によって制限されることなく、液圧シリンダ２３を含んだケーシング５の径を有効に利用して径の大きい杭４の切断が可能となる。また、それに伴い、杭４とケーシング５との間に空間が確保できるので、杭４とケーシング５との間への掘削体２０の挿入が容易となる。
【００４６】
また本実施の形態においては、ケーシング５の下端の複数の掘削爪３０を、掘削時に掘削土砂がケーシング５の外側に押し出されるように順次取付け位置を異ならせて配設したので、掘削土砂をケーシング５の外壁側に圧密しながら掘削することができ、掘削体２０と杭４との間に掘削土砂が充填されて杭４の切断の邪魔をすることがなく、杭４の切断を能率良く行なえる。
【００４７】
また本実施の形態においては、掘削爪３０のケーシング５の内方への突出幅Ｗ３を、液圧シリンダ２３のケーシング５の内方への突出幅Ｗ２より大きく設定したので、液圧シリンダ２３が掘削地盤に接触する度合いが少なくなり、その損傷を防ぐことができる。
【００４８】
また本実施の形態においては、液圧シリンダ２３を作動させる液圧源７を、ケーシング５の頂部に着脱可能に設置し、液圧源７と液圧シリンダ２３とを接続する液圧配管４０，４２を、前記ケーシング５の内壁に沿って配設したので、液圧源７を地上に設置した場合のスイベルジョイントが不要となり、ケーシングの継ぎ足しの際における液圧配管の着脱が容易となる。ただし本発明を実施する場合、スイベルジョイントを用いた構成を採用することも可能である。
【００４９】
図１２は本発明の他の実施の形態を示すケーシングの底面図、図１３および図１４はそのケーシングの下端部を内側から見た部分図である。この実施の形態においては、前記リング３４に土砂の複数の導入口５０を設け、この導入口５０は図１４に示すようにボルト５１によって着脱可能に取付けられる蓋５２によって閉塞できるように構成したものである。５３はポケット部３５に溜まる掘削屑５５が導入口５０から落下することを防止するストッパ、５４は掘削屑をポケット部３５に掬い上げるために導入口５０から斜め下方に突出させて設けた突出片である。
【００５０】
この実施の形態は、約１ｍ程度の厚みのあるコンクリート建造物の底盤を掘削する場合に好適なものである。この底盤においては、ケーシング５による掘削によって生じるコンクリート掘削屑が硬いため、ケーシング５と掘削された穴の内壁との間に掘削屑を圧密することが困難となり、掘削屑が掘進の障害となる。このような事態の発生を防止し、円滑な掘削を可能にするため、図１３に示すように、ケーシング５を回転させて掘削爪３０により底盤を掘削する際には、掘削屑５５が導入口５０から突出片５４を経て前記ポケット部３５に上がり、ストッパ５３で止めて溜めるようにしたものである。一般的な地盤の掘削においては、図１４に示すように、ボルト５１により蓋５２を取付けて塞ぐことにより、掘削土砂をケーシング５の外壁側に圧密させて蓄積する。このように、蓋５２を前記導入部５０に着脱することにより、ケーシング５をコンクリートの掘削と一般の地盤の掘削に兼用することができる。
【００５１】
図１５は本発明における前記液圧源７の搭載構造の他の例を示す縦断面図である。この実施の形態は、ケーシングドライバ３のガイドポスト１１等の静止部に、液圧シリンダ６０により昇降される昇降フレーム６１を設置し、その昇降フレーム６１上に軸受６２を介して旋回可能に旋回体６３を設置し、この旋回体６３に前記液圧シリンダ２３を作動させる液圧源７を搭載する作業台６を設置すると共に、旋回体６３に前記ケーシング５を把持するチャック装置６４を設けたものである。
【００５２】
この実施の形態においては、ケーシング５を回転させて杭４の周囲の地切りあるいは杭４の切断を行なう際には、チャック装置６４によりケーシング５を把持して作業台６をケーシング５と共に回転させる。
【００５３】
新たなケーシング５を継ぎ足した後、チャック装置６４を開いてケーシング５のチャックを解き、液圧シリンダ６０を伸長させると共に、ケーシングドライバ３のチャック装置１９によるケーシング５のチャックを解き、液圧シリンダ１２を伸長させ、再度チャック装置１９、６４によりケーシングをチャックして地切り掘削および杭４の掘削を行なう。
【００５４】
この実施の形態によれば、ケーシング５の継ぎ足しの際に、昇降フレーム６１を昇降させることにより、液圧源７を搭載した作業台６をケーシング５上から撤去する必要がなく、ケーシング５の継ぎ足し作業が能率的に行なえ、杭４の切断を能率良く行なえる。なお、液圧シリンダ６０や昇降フレーム６１はケーシングドライバ３の周囲の地盤に支持させてもよい。
【図面の簡単な説明】
【００５５】
【図１】本発明による地中杭の切断装置を相判クレーンと共に作業状態で示す側面図である。
【図２】本実施の形態のケーシングドライバの側面図である。
【図３】図２のケーシングドライバの平面図である。
【図４】本実施の形態の切断装置をケーシングドライバを省略して示す縦断面図である。
【図５】図４のＡ−Ａ拡大断面図である。
【図６】図４の要部拡大断面図である。
【図７】図４のＢ−Ｂ拡大断面図である。
【図８】図４のケーシングの底面図である。
【図９】本実施の形態の作業台の平面図である。
【図１０】図９の作業台の縦断面図である。
【図１１】本実施の形態の切断装置による作業状態を示す縦断面図である。
【図１２】本発明によるケーシングの他の例を示す底面図である。
【図１３】図１２のケーシングを内側から見た図である。
【図１４】図１３において、一般の地盤を掘削する際に土砂の導入口を蓋により塞いだ状態を示す図である。
【図１５】本発明による液圧源搭載作業台の他の例を示す縦断面図である。
【符号の説明】
【００５６】
１：切断装置、２：クレーン、３：ケーシングドライバ、４、４Ａ：杭、５：ケーシング、６：作業台、７：液圧源、９：液圧シリンダ、１０：ベースフレーム、１１：ガイドポスト、１２：液圧シリンダ、１３：昇降フレーム、１４：液圧モータ、１５：回転体、１６：液圧シリンダ、１７：可動バンド、１９：チャック装置、２０：掘削体、２１：軸、２２：掘削爪、２３：液圧シリンダ、２４：ピン、２５：リンク、２７：保護カバー、３０：掘削爪、３１，３２，３３：掘削爪グループ、３４：リング、３５：ポケット部、３７：無線制御装置、４０：弧状配管、４１：継手、４２：縦配管、４３：継手、４４：配管、４５：ハンマグラブ、４６、４７：ワイヤロープ、５０：導入口、５１：ボルト、５２：蓋、５３：ストッパ、５４：突出片、５５：掘削屑、６０：液圧シリンダ、６１：昇降フレーム、６２：軸受。６３：旋回体、６４：チャック装置
【図１】
0004526085.tif 000002
【図２】
0004526085.tif 000003
【図３】
0004526085.tif 000004
【図４】
0004526085.tif 000005
【図５】
0004526085.tif 000006
【図６】
0004526085.tif 000007
【図７】
0004526085.tif 000008
【図８】
0004526085.tif 000009
【図９】
0004526085.tif 000010
【図１０】
0004526085.tif 000011
【図１１】
0004526085.tif 000012
【図１２】
0004526085.tif 000013
【図１３】
0004526085.tif 000014
【図１４】
0004526085.tif 000015
【図１５】
0004526085.tif 000016